(57)【特許請求の範囲】
【請求項１】
被加熱物が載置されるトッププレートと、
前記トッププレートに形成され、前記被加熱物の載置位置を示す複数の加熱口と、
前記加熱口毎に１つまたは複数設けられ、該加熱口に載置された前記被加熱物を誘導加熱する加熱コイルと、
前記加熱コイルに高周波電力を供給する複数のインバータと、
設定火力に応じて前記インバータの駆動周波数を可変させ、前記複数のインバータの出力電力をそれぞれ制御する制御手段と
を備え、
前記制御手段は、
前記複数のインバータのうち何れかのインバータを優先インバータとして選択し、他のインバータを非優先インバータとして選択し、
前記優先インバータを含む２つ以上の前記インバータが駆動状態である場合において、
前記２つ以上のインバータの駆動周波数の差分周波数が、可聴周波数領域のうち耳障りな音の周波数領域として予め設定した周波数の範囲内に含まれるとき、
前記差分周波数が前記耳障りな音の周波数領域のうち高周波側に含まれる場合、前記差分周波数が前記耳障りな音の周波数領域を超えるように、前記非優先インバータの駆動周波数を変化させ、
前記差分周波数が前記耳障りな音の周波数領域のうち前記高周波側よりも低い低周波側に含まれる場合、前記差分周波数が前記耳障りな音の周波数領域を下回るように、前記非優先インバータの駆動周波数を変化させる
ことを特徴とする誘導加熱調理器。
【請求項２】
前記制御手段は、
２つの前記インバータが駆動したとき、先に駆動した前記インバータを前記優先インバータとして選択し、後に駆動した前記インバータを前記非優先インバータとして選択する
ことを特徴とする請求項１記載の誘導加熱調理器。
【請求項３】
前記優先インバータの選択条件を設定する先後切替手段を備え、
前記制御手段は、
前記先後切替手段により先行のインバータを優先する設定がされた場合において、２つの前記インバータが駆動したとき、
先に駆動した前記インバータを前記優先インバータとして選択し、後に駆動した前記インバータを前記非優先インバータとして選択し、
前記先後切替手段により後行のインバータを優先する設定がされた場合において、２つの前記インバータが駆動したとき、
後に駆動した前記インバータを前記優先インバータとして選択し、先に駆動した前記インバータを前記非優先インバータとして選択する
ことを特徴とする請求項１記載の誘導加熱調理器。
【請求項４】
前記複数の加熱口のうち何れかの加熱口を優先加熱口として選択する優先加熱口選択手段を備え、
前記制御手段は、
前記優先加熱口に設けられた前記加熱コイルを駆動するインバータを、前記優先インバータとして選択し、
前記優先加熱口以外に設けられた前記加熱コイルを駆動するインバータを、前記非優先インバータとして選択する
ことを特徴とする請求項１記載の誘導加熱調理器。
【請求項５】
前記制御手段は、
前記差分周波数が前記耳障りな音の周波数領域に含まれないように、前記非優先インバータの駆動周波数を変化させる際、
出力電力が設定火力となるように、当該非優先インバータを構成するスイッチング素子のデューティ比を可変する
ことを特徴とする請求項１〜４の何れか一項に記載の誘導加熱調理器。
【請求項６】
前記耳障りな音の周波数領域は、５ｋＨｚ以上１５ｋＨｚ以下である
ことを特徴とする請求項１〜５の何れか一項に記載の誘導加熱調理器。
【請求項７】
前記制御手段は、
１つの主マイコンと、
前記主マイコンからの指示に基づき、前記複数のインバータの駆動をそれぞれ制御する、１つの従マイコンと
を備えた
ことを特徴とする請求項１〜６の何れか一項に記載の誘導加熱調理器。
【請求項８】
前記制御手段は、
１つの主マイコンと、
前記インバータ毎に設けられ、前記主マイコンからの指示に基づき、前記インバータの駆動を制御する複数の従マイコンと
を備えた
ことを特徴とする請求項１〜６の何れか一項に記載の誘導加熱調理器。
【発明の詳細な説明】
【技術分野】
【０００１】
本発明は、複数の加熱コイルを有する誘導加熱調理器に関する。
【背景技術】
【０００２】
従来の誘導加熱調理器においては、干渉音が使用者に気にならないようにするため、筐体の前面よりに配置された誘導加熱コイルに用いる周波数帯の最大周波数よりも、奥寄りに配置された誘導加熱コイルに用いる周波数帯の最低周波数を高く設定するものが提案されている（例えば、特許文献１参照）。
【先行技術文献】
【特許文献】
【０００３】
【特許文献１】特開２００８−２７９０１号公報（要約）
【発明の概要】
【発明が解決しようとする課題】
【０００４】
特許文献１の技術では、最低周波数を高く設定した誘導加熱コイルを駆動するインバータは、その駆動周波数の周波数範囲が高い周波数となる。例えば一方のインバータの駆動周波数の範囲を２０ｋＨｚ〜４０ｋＨｚとし、他方のインバータの駆動周波数の範囲を６０ｋＨｚ〜９０ｋＨｚに設定している。
このように駆動周波数の範囲を高い周波数帯に設定したインバータは、駆動用パワー素子（例えばＩＧＢＴ）等のスイッチング素子のスイッチング損失が増大するという問題点があった。
また、スイッチング損失の増大により発熱量も増大することから、これらを冷却する冷却手段の冷却性能を向上する必要がありコストが増加するという問題点があった。
また、冷却手段としての冷却ファンの送風量が増加し騒音が増大するという問題点があった。
【０００５】
また、上述した一方のインバータの駆動周波数の周波数帯を高く設定しなければ、スイッチング損失の増大を抑制することは可能であるが、複数の加熱コイルを駆動する際には、干渉音が発生しないようにインバータの駆動周波数を変更する必要がある。このようなインバータの駆動周波数の変更が行われると、使用者が意図した所望の火力が得られなくなり、調理上の使い勝手が損なわれるという問題点があった。
【０００６】
本発明は、上記のような課題を解決するためになされたもので、複数の加熱コイルを駆動する際に生じる干渉音を抑制することができる誘導加熱調理器を得るものである。
また、スイッチング損失が増大することなく干渉音を抑制することができる誘導加熱調理器を得るものである。
また、調理上の使い勝手を損なうことなく干渉音を抑制することができる誘導加熱調理器を得るものである。
【課題を解決するための手段】
【０００７】
本発明に係る誘導加熱調理器は、被加熱物が載置されるトッププレートと、トッププレートに形成され、被加熱物の載置位置を示す複数の加熱口と、加熱口毎に１つまたは複数設けられ、該加熱口に載置された被加熱物を誘導加熱する加熱コイルと、加熱コイルに高周波電力を供給する複数のインバータと、設定火力に応じてインバータの駆動周波数を可変させ、複数のインバータの出力電力をそれぞれ制御する制御手段とを備え、制御手段は、複数のインバータのうち何れかのインバータを優先インバータとして選択し、他のインバータを非優先インバータとして選択し、優先インバータを含む２つ以上のインバータが駆動状態である場合において、２つ以上のインバータの駆動周波数の差分周波数が、可聴周波数領域のうち耳障りな音の周波数領域として予め設定した周波数の範囲内に含まれるとき、差分周波数が耳障りな音の周波数領域のうち高周波側に含まれる場合、差分周波数が耳障りな音の周波数領域を超えるように、非優先インバータの駆動周波数を変化させ、差分周波数が耳障りな音の周波数領域のうち高周波側よりも低い低周波側に含まれる場合、差分周波数が耳障りな音の周波数領域を下回るように、非優先インバータの駆動周波数を変化させるものである。
【発明の効果】
【０００８】
本発明は、複数のインバータのうち何れかのインバータを優先インバータとして選択し、他のインバータを非優先インバータとして選択し、２つ以上のインバータの駆動周波数の差分周波数が、可聴周波数領域のうち耳障りな音の周波数領域として予め設定した周波数の範囲内に含まれるとき、差分周波数が耳障りな音の周波数領域に含まれないように、非優先インバータの駆動周波数を変化させる。
このため、複数の加熱コイルを駆動する際に生じる干渉音を抑制することができる。
また、優先インバータが駆動する加熱コイルの火力が変化しないので、調理上の使い勝手を損なうことなく干渉音を抑制することができる。
【図面の簡単な説明】
【０００９】
【図１】実施の形態１に係る誘導加熱調理器の外観を示す斜視図である。
【図２】実施の形態１に係る誘導加熱調理器の制御ブロック図である。
【図３】実施の形態２に係る誘導加熱調理器の制御ブロック図である。
【図４】実施の形態３に係る誘導加熱調理器の制御ブロック図である。
【図５】実施の形態４に係る誘導加熱調理器の制御ブロック図である。
【発明を実施するための形態】
【００１０】
実施の形態１．
図１は実施の形態１に係る誘導加熱調理器の外観を示す斜視図である。
図１において、誘導加熱調理器１００の本体ケース１の上部には、枠体３を介して本体ケース１に取り付けられたトッププレート２が設けられている。トッププレート２は、耐熱強化ガラスにより構成され、その裏面には内部が見えないように印刷が施されている。トッププレート２の表面には、被加熱物である調理容器の載置位置を示す例えば３つの円形状の左加熱口ＨＬ、右加熱口ＨＲ及び中央加熱口ＨＣが印刷等の方法で表示されている。本体ケース１内には、各加熱口ＨＬ、ＨＲ、ＨＣに対応して３つの加熱コイル２２、２５、２８が配置されている。
【００１１】
トッププレート２の前部側には、左加熱口ＨＬ、右加熱口ＨＲの火力をそれぞれ表示する火力表示部４、５および各加熱口ＨＬ、ＨＲ、ＨＣの動作状態をそれぞれ表示する液晶表示部７、８、９が設けられている。さらに、トッププレート２の後部中央には、中央加熱口ＨＣの火力を表示する火力表示部６が設けられている。
【００１２】
枠体３の前部側には上面操作部１０が設けられている。上面操作部１０は、例えば、各加熱口ＨＬ、ＨＲ、ＨＣにそれぞれ対応して設けられた火力設定操作部と、グリルの加熱を操作するグリル操作部からなっている。トッププレート２の後ろ側の枠体３には、本体ケース１内に設けられた吸気口１１と排気口１２を覆う吸排気用カバー１３が着脱自在に設けられている。
【００１３】
本体ケース１の前面には、前後に移動可能なグリル扉１４が設けられている。また、本体ケース１の前面のグリル扉１４の両側には、前面操作部１５、１６が設けられている。左側の前面操作部１５は左加熱口ＨＬの火力調節用の操作部で、右側の前面操作部１６は右加熱口ＨＲの火力調節用の操作部である。
【００１４】
図２は実施の形態１に係る誘導加熱調理器の制御ブロック図である。
図２において、左インバータ２１、中央インバータ２７、右インバータ２４（以下、区別しないときは単に「インバータ」という）は、例えばハーフブリッジ型またはフルブリッジ型のインバータであり、スイッチング素子がオンオフ制御されることにより、入力された直流電力を高周波電力に変換して出力するものである。
左インバータ２１の出力端には、左加熱口ＨＬの下方に配置された加熱コイル２２、および共振コンデンサ２３の直列回路が負荷回路として接続されている。
中央インバータ２７の出力端には、中央加熱口ＨＣの下方に配置された加熱コイル２８、および共振コンデンサ２９の直列回路が負荷回路として接続されている。
右インバータ２４の出力端には、右加熱口ＨＲの下方に配置された加熱コイル２５、および共振コンデンサ２６の直列回路が負荷回路として接続されている。
各インバータは、従マイコン３１からの制御信号によりスイッチング素子がオンオフ制御され、駆動周波数が制御される。
なお、各インバータにおける駆動周波数の範囲（最低周波数から最大周波数の範囲）は、少なくとも一部において重複するように設定されている。
【００１５】
主マイコン３０は、上面操作部１０や前面操作部１５、前面操作部１６（以下「操作部」という）から加熱口の選択操作や火力指令値の設定情報が入力され、使用者の操作により選択された加熱口を検知し、検知した加熱口に応じた火力指令を、従マイコン３１に送信する。
従マイコン３１は、主マイコン３０からの指令に基づき、選択された加熱口に対応するインバータの駆動周波数を可変して、当該インバータの出力電力が設定火力となるように周波数制御を行う。
【００１６】
また、本実施の形態においては、１つの従マイコン３１により、左インバータ２１、中央インバータ２７、および右インバータ２４の駆動をそれぞれ制御する。この１つの従マイコン３１は、インバータが搭載されている基板上に設けられている。
このように、１つの従マイコン３１により複数のインバータの駆動を制御することで、従マイコン３１をインバータ毎に設ける必要が無く、製品コストを低減することができる。
【００１７】
なお、本実施の形態では、一例として３つの加熱口にそれぞれ１つの加熱コイルを備え、加熱コイル毎にインバータを設ける場合を説明するが、これに限るものではない。少なくとも２つ以上の加熱コイルを備え、２つ以上のインバータにより駆動周波数をそれぞれ個別に可変できる構成であればよい。例えば１つの加熱口に複数の加熱コイルを設けても良いし、１つのインバータにより複数の加熱コイルを駆動するようにしても良い。
【００１８】
なお、主マイコン３０および従マイコン３１により、本発明における「制御手段」を構成する。
【００１９】
次に、複数の加熱コイルを駆動する際に生じる耳障りな干渉音を抑制する動作について説明する。
ここでは、右加熱口ＨＲを動作させ、この右加熱口ＨＲの動作中に左加熱口ＨＬを動作させる場合を例に説明する。
【００２０】
主マイコン３０は、操作部からの操作により、右加熱口ＨＲが選択され火力が設定されると、選択された加熱口の情報と火力指令を、従マイコン３１に送信する。
従マイコン３１は、主マイコン３０からの指令に基づき、右加熱口ＨＲに対応する右インバータ２４の駆動周波数を設定し、右インバータ２４の出力電力が所望の設定火力となるように周波数制御を行う。
なお、主マイコン３０は、操作部から火力設定が変更される操作がされると、変更後の火力指令値を従マイコン３１に送信し、従マイコン３１は、この火力指令値に応じて駆動周波数を設定し、所望の設定火力となるようにインバータの出力を制御する。
【００２１】
次に、操作部からの操作により、左加熱口ＨＬが選択され火力が設定されると、主マイコン３０は、この選択された加熱口の情報と火力指令を、従マイコン３１に送信する。
このとき、従マイコン３１は、主マイコン３０からの指令に基づき、左加熱口ＨＬに対応する左インバータ２１の駆動周波数を設定し、左インバータ２１の出力電力が所望の設定火力となるように周波数制御を行う。
【００２２】
このとき、右インバータ２４の駆動周波数と左インバータ２１の駆動周波数との差分周波数が、可聴周波数領域のうち耳障りな音の周波数領域に含まれると、使用者に耳障りな干渉音が発生する。
この耳障りな音の周波数領域は、例えば５ｋＨｚ以上１５ｋＨｚ以下の範囲である。
ここで、周波数が５ｋＨｚ〜１５ｋＨｚの範囲である高周波音（キーン音）は、使用者に不快感を与え耳障りとなる。一方、５ｋＨｚ以下の低周波音は、使用者の可聴域であるため多少は聞こえるものの、通常の話し声程度の周波数帯域であることから、高周波音と比較して耳障りではない聴感となる。なお、周波数が１５ｋＨｚを超える場合、個人差はあるものの使用者の可聴域よりも高い周波数であるため使用者にはほとんど聞こえないことが知られている。
なお、上記聴感の区分けは大まかなものであり数値を限定するものではない。
【００２３】
次に、このような耳障りな干渉音を抑制するための動作を、優先インバータ選択動作と、周波数制限動作とに分けて説明する。
【００２４】
（優先インバータ選択動作）
本実施の形態１においては、従マイコン３１が優先インバータ選択動作を行う。
従マイコン３１は、２つのインバータが駆動したとき、先に駆動したインバータを優先インバータとして選択し、後に駆動したインバータを非優先インバータとして選択する。
上記の例では、先に駆動した右インバータ２４を優先インバータとし、後に駆動した左インバータ２１を非優先インバータとして選択する。
【００２５】
（周波数制限動作）
本実施の形態１においては、従マイコン３１が周波数制限動作を行う。
従マイコン３１は、優先インバータを含む２つのインバータが駆動状態である場合において、この２つのインバータの駆動周波数の差分周波数を算出する。
そして、この差分周波数が、耳障りな音の周波数領域として予め設定した周波数の範囲内（例えば５ｋＨｚ以上１５ｋＨｚ以下）に含まれるとき、差分周波数が耳障りな音の周波数領域に含まれないように、非優先インバータの駆動周波数を変化させる。
例えば、右インバータ２４の駆動周波数が２５ｋＨｚであり、左インバータ２１の駆動周波数が２０ｋＨｚである場合、差分周波数は５ｋＨｚとなる。
この場合、差分周波数（５ｋＨｚ）が耳障りな音の周波数領域（例えば５ｋＨｚ以上１５ｋＨｚ以下）に含まれるため、非優先インバータとして選択された左インバータ２１の駆動周波数を変化させて、差分周波数が耳障りな音の周波数領域に含まれないように制御する。
【００２６】
このように、優先インバータについては設定火力に応じて所望の火力が得られるように駆動周波数を制御し、非優先インバータについては耳障りな干渉音を抑制するように駆動周波数を制御する。これにより、優先インバータが駆動する加熱コイルの火力が制限されることがなく、この加熱口の調理においては使用者が意図した所望の火力を得ることができ、調理上の使い勝手を向上することができる。
【００２７】
なお、上記周波数制限動作においては、非優先インバータの駆動周波数を上昇させても良いし、低下させても良い。
例えば、右インバータ２４の駆動周波数が２５ｋＨｚであり、左インバータ２１の駆動周波数が２０ｋＨｚである場合、非優先インバータである左インバータ２１の駆動周波数を、２３ｋＨｚに上昇させる。これにより、差分周波数が２ｋＨｚとなり耳障りな音の周波数領域（５ｋＨｚ以上１５ｋＨｚ以下）に含まれなくなる。
【００２８】
また例えば、差分周波数が、耳障りな音の周波数領域のうち高周波側（例えば１０ｋＨｚ以上１５ｋＨｚ以下）に含まれる場合には、差分周波数が耳障りな音の周波数領域を超えるように、非優先インバータの駆動周波数を変化させるようにし、また、差分周波数が、耳障りな音の周波数領域のうち低周波側（例えば５ｋＨｚ以上１５ｋＨｚ未満）に含まれる場合には、差分周波数が耳障りな音の周波数領域を下回るように、非優先インバータの駆動周波数を変化させるようにしても良い。
このように、差分周波数の大きさに応じて非優先インバータの駆動周波数を変化させることで、非優先インバータの駆動周波数の変化量を少なくすることができ、当該非優先インバータの出力電力の変化量を少なくすることができる。
また、非優先インバータの駆動周波数を上昇させる場合、当該インバータの出力電力（火力）が設定火力よりも低い火力に遷移するが、これにより当該インバータの最大使用火力を超えないようにすることができると共に、当該インバータの故障を防止することが可能となる。
【００２９】
なお、上記周波数制限動作では、非優先インバータの駆動周波数を変化させることにより、当該非優先インバータの出力電力が変化し、操作部から設定された所望の設定火力と異なる火力となる。
このような駆動周波数の変化による火力（電力）の変動を抑制するため、所望の火力となるようにデューティ可変制御を合わせて行うようにしても良い。なお、後述する他の実施の形態においても同様に、デューティ可変制御を合わせて行うようにしても良い。
例えば、インバータの駆動周波数を上昇させて出力電力が低下する場合には、インバータのスイッチング素子のオンデューティ比を上昇させることで出力電力を上昇させ、火力指令により設定される火力を維持するように制御する。
【００３０】
なお、上記の説明では、２つのインバータが駆動状態の場合を説明したが、２つ以上のインバータが駆動状態である場合も、上述した技術思想が適用できることは言うまでもない。
例えば、右加熱口ＨＲ、左加熱口ＨＬ、中央加熱口ＨＣの順で加熱動作した場合、優先インバータ選択動作において、右インバータ２４を優先インバータとして選択し、左インバータ２１、および中央インバータ２７を非優先インバータとして選択する。
そして、周波数制限動作において、各インバータの相互の差分周波数を算出し、上記動作と同様に、差分周波数が耳障りな音の周波数領域に含まれないように、２つの非優先インバータをそれぞれ制御する。
このように、優先インバータを含む２つ以上のインバータが駆動状態である場合において、２つ以上のインバータの駆動周波数の差分周波数が、可聴周波数領域のうち耳障りな音の周波数領域として予め設定した周波数の範囲内に含まれるとき、差分周波数が耳障りな音の周波数領域に含まれないように、非優先インバータの駆動周波数を変化させる。
【００３１】
以上のように本実施の形態においては、複数のインバータのうち何れかのインバータを優先インバータとして選択し、他のインバータを非優先インバータとして選択し、優先インバータを含む２つ以上のインバータが駆動状態である場合において、２つ以上のインバータの駆動周波数の差分周波数が、可聴周波数領域のうち耳障りな音の周波数領域として予め設定した周波数の範囲内に含まれるとき、差分周波数が耳障りな音の周波数領域に含まれないように、非優先インバータの駆動周波数を変化させる。
このため、複数のインバータを駆動する際に生じる耳障りな干渉音の発生を抑制することができる。
また、優先インバータが駆動する加熱コイルの火力が変化しないので、この加熱口の調理においては使用者が意図した所望の火力を得ることができ、調理上の使い勝手を損なうことなく干渉音を抑制することができる。
また、各インバータにおける駆動周波数の範囲（最低周波数から最大周波数の範囲）が、少なくとも一部において重複する場合であっても、干渉音を抑制することができるため、上記特許文献１の技術のように、駆動周波数の周波数帯を高く設定する必要が無く、インバータのスイッチング損失の増大を抑制することができる。よって、回路の発熱を抑制でき、冷却ファン等の冷却能力が増大することを抑制できる。
【００３２】
また本実施の形態においては、２つのインバータが駆動したとき、先に駆動したインバータを優先インバータとして選択し、後に駆動したインバータを非優先インバータとして選択する。
このため、使用者が特段の操作等を行うことなく、先行させて動作させたインバータを優先インバータとすることができる。よって、使用者は、先に動作させた加熱口の火力が制限されない加熱口であると認識することができ、先に動作させた加熱口の調理においては使用者が意図した所望の火力を得ることができ、調理上の使い勝手を向上することができる。
【００３３】
また本実施の形態においては、差分周波数が耳障りな音の周波数領域に含まれないように、非優先インバータの駆動周波数を変化させる際、出力電力が設定火力となるように、当該非優先インバータを構成するスイッチング素子のオンデューティ比を可変する。
このため、非優先インバータの駆動周波数が変化しても、所望の設定火力を維持することができる。
【００３４】
また本実施の形態においては、１つの主マイコン３０と、主マイコン３０からの指示に基づき、複数のインバータの駆動をそれぞれ制御する、１つの従マイコン３１とを備えている。
このため、従マイコン３１をインバータ毎に設ける必要が無く、製品コストを低減することができる。
【００３５】
実施の形態２．
上記実施の形態１では、先に駆動したインバータを優先インバータとして選択し、後に駆動したインバータを非優先インバータとして選択した。
本実施の形態２においては、優先インバータを選択する先後の関係を切り替え可能とする形態について説明する。
【００３６】
図３は実施の形態２に係る誘導加熱調理器の制御ブロック図である。
図３に示すように、本実施の形態２においては、上記実施の形態１（図２）の構成に加え、優先インバータの選択条件を設定する先後切替手段４０を備えている。
この先後切替手段４０は、例えば上面操作部１０に設けたスイッチ等により構成される。先後切替手段４０は、先行のインバータを優先する設定、または、後行のインバータを優先する設定の何れかを主マイコン３０に入力する。
主マイコン３０は、先後切替手段４０からの設定情報を従マイコン３１に送信する。
なお、その他の構成は、上記実施の形態１と同様であり、同一部分には同一の符号を付する。
【００３７】
次に、本実施の形態２における優先インバータ選択動作について説明する。
なお、本実施の形態２における周波数制限動作は上記実施の形態１と同様である。
【００３８】
（優先インバータ選択動作）
本実施の形態２においても、従マイコン３１が優先インバータ選択動作を行う。
従マイコン３１は、先後切替手段４０により先行のインバータを優先する設定がされた場合において、２つのインバータが駆動したとき、先に駆動したインバータを優先インバータとして選択し、後に駆動したインバータを非優先インバータとして選択する。
例えば右インバータ２４が駆動した後に左インバータ２１が駆動した場合、先に駆動した右インバータ２４を優先インバータとし、後に駆動した左インバータ２１を非優先インバータとして選択する。
【００３９】
また、従マイコン３１は、先後切替手段４０により後行のインバータを優先する設定がされた場合において、２つのインバータが駆動したとき、後に駆動したインバータを優先インバータとして選択し、先に駆動したインバータを非優先インバータとして選択する。
例えば右インバータ２４が駆動した後に左インバータ２１が駆動した場合、後に駆動した左インバータ２１を優先インバータとし、先に駆動した右インバータ２４を非優先インバータとして選択する。
【００４０】
このような動作により、本実施の形態２においても上記実施の形態１と同様の効果を奏することができる。
さらに、本実施の形態２においては、先後切替手段４０により先行のインバータを優先するか、または、後行のインバータを優先するかを切り替えることが可能となる。よって、使用者は、先に動作させた加熱口または後に動作させた加熱口の何れを優先とするかを選択することができ、調理内容（揚げ物等）に応じて選択したい加熱口と、加熱口の使用順番も考慮した調理上の使い勝手を向上することができる。
【００４１】
実施の形態３．
本実施の形態３においては、複数の加熱口のうち、任意の加熱口を優先加熱口として選択する形態について説明する。
【００４２】
図４は実施の形態３に係る誘導加熱調理器の制御ブロック図である。
図４に示すように、本実施の形態３においては、上記実施の形態１（図２）の構成に加え、複数の加熱口のうち何れかの加熱口を優先加熱口として選択する優先加熱口選択手段４１を備えている。
この優先加熱口選択手段４１は、例えば上面操作部１０に設けたスイッチ等により構成される。優先加熱口選択手段４１は、使用者の操作により、左加熱口ＨＬ、右加熱口ＨＲ、中央加熱口ＨＣのうち何れか一つが優先加熱口として選択され、この優先加熱口の情報を主マイコン３０に入力する。
主マイコン３０は、優先加熱口選択手段４１からの優先加熱口の情報を従マイコン３１に送信する。
なお、その他の構成は、上記実施の形態１と同様であり、同一部分には同一の符号を付する。
【００４３】
次に、本実施の形態３における優先インバータ選択動作について説明する。
なお、本実施の形態３における周波数制限動作は上記実施の形態１と同様である。
【００４４】
（優先インバータ選択動作）
本実施の形態３においても、従マイコン３１が優先インバータ選択動作を行う。
従マイコン３１は、優先加熱口に設けられた加熱コイルを駆動するインバータを、優先インバータとして選択し、優先加熱口以外に設けられた加熱コイルを駆動するインバータを、非優先インバータとして選択する。
例えば、右加熱口ＨＲが優先加熱口として選択された場合、この右加熱口ＨＲに設けられた加熱コイル２５を駆動する右インバータ２４を、優先インバータとして選択する。
また、それ以外の左加熱口ＨＬ、および中央加熱口ＨＣの加熱コイルを駆動する左インバータ２１と中央インバータ２７を、非優先インバータとして選択する。
【００４５】
このような動作により、本実施の形態３においても上記実施の形態１と同様の効果を奏することができる。
さらに、本実施の形態３においては、優先加熱口選択手段４１により複数の加熱口のうち任意の加熱口を、優先インバータにより駆動する優先加熱口として選択することが可能となる。
このため、誘導加熱調理器の設置環境（左右の何れかが壁面に面している等）や、使用頻度の高い加熱口、使用者の利き腕に適した加熱口などにより、所望の火力を得る加熱口を使用者が任意に選択することができる。よって、調理上の使い勝手を向上することができる。
【００４６】
なお、上述した実施の形態１または２の優先インバータ選択動作に加え、本実施の形態３における優先インバータ選択動作を行うようにしても良い。
例えば、優先加熱口選択手段４１から優先加熱口を選択する操作が入力されていない場合には、上記実施の形態１または２の優先インバータ選択動作により、優先インバータを選択する。そして、調理途中などに優先加熱口選択手段４１から優先加熱口を選択する操作が入力された場合には、上記実施の形態１または２の優先インバータ選択動作に代えて、本実施の形態３における優先インバータ選択動作を行うようにしても良い。
【００４７】
実施の形態４．
上記実施の形態１〜３では、１つの主マイコン３０と１つの従マイコン３１により、本発明における制御手段を構成する場合を説明した。
本実施の形態４では、従マイコンをインバータ毎に設ける形態について説明する。
【００４８】
図５は実施の形態４に係る誘導加熱調理器の制御ブロック図である。
図５に示すように、本実施の形態４における誘導加熱調理器は、１つの主マイコン３５と、インバータ毎に設けられた複数の従マイコン３２、３３、３４とを備えている。
従マイコン３２は、主マイコン３５からの指示に基づき、左インバータ２１の駆動を制御する。
従マイコン３４は、主マイコン３５からの指示に基づき、中央インバータ２７の駆動を制御する。
従マイコン３３は、主マイコン３５からの指示に基づき、右インバータ２４の駆動を制御する。
【００４９】
従マイコン３２、３３、３４は、それぞれ対応するインバータが搭載されている基板上に設けられている。例えば、各インバータがそれぞれ別々の基板に搭載されている場合、各従マイコンもそれぞれ対応する別々の基板に搭載される。
このように、インバータ毎に複数の従マイコンを設けることで、従マイコンが１つの場合と比較して、パターン配線を容易にすることができる。
【００５０】
なお、その他の構成は、上記実施の形態１と同様であり、同一部分には同一の符号を付する。
なお、本実施の形態４においても、上記実施の形態２で説明した先後切替手段４０や、上記実施の形態３で説明した優先加熱口選択手段４１を設ける構成としても良い。
【００５１】
なお、主マイコン３５および従マイコン３２、３３、３４により、本発明における「制御手段」を構成する。
【００５２】
主マイコン３５は、操作部から加熱口の選択操作や火力指令値の設定情報が入力され、使用者の操作により選択された加熱口を検知し、従マイコン３２、３３、３４のうち選択された加熱口に対応する従マイコンに対し、火力指令を送信する。
従マイコン３２、３３、３４は、主マイコン３５の指令に基づき、対応するインバータの駆動周波数を可変して、当該インバータの出力電力を制御する。
また、従マイコン３２、３３、３４は、対応するインバータの駆動周波数の情報を主マイコン３５に送信する。
【００５３】
次に、本実施の形態４における、優先インバータ選択動作と、周波数制限動作とにつき、上記実施の形態１〜３との相違点を中心に説明する。
【００５４】
（優先インバータ選択動作）
本実施の形態４においては、主マイコン３５が優先インバータ選択動作を行う。
具体的動作は、上記実施の形態１〜３の何れかと同様である。
【００５５】
（周波数制限動作）
本実施の形態４においては、主マイコン３５が、各従マイコンから取得した駆動周波数から差分周波数を算出し、各従マイコンに対して周波数制限動作を行う。
具体的動作は、上記実施の形態１と同様である。
【００５６】
以上のように本実施の形態においては、１つの主マイコン３５と、インバータ毎に設けられ、主マイコン３５からの指示に基づき、インバータの駆動を制御する複数の従マイコン３２、３３、３４とを備えたので、従マイコンが１つの場合と比較して、パターン配線を容易にすることができる。
【符号の説明】
【００５７】
１  本体ケース、２  トッププレート、３  枠体、４  火力表示部、５  火力表示部、６  火力表示部、７  液晶表示部、８  液晶表示部、９  液晶表示部、１０  上面操作部、１１  吸気口、１２  排気口、１３  吸排気カバー、１４  グリル扉、１５  前面操作部、１６  前面操作部、２１  左インバータ、２２  加熱コイル、２３  共振コンデンサ、２４  右インバータ、２５  加熱コイル、２６  共振コンデンサ、２７  中央インバータ、２８  加熱コイル、２９  共振コンデンサ、３０  主マイコン、３１  従マイコン、３２  従マイコン、３３  従マイコン、３４  従マイコン、３５  主マイコン、４０  先後切替手段、４１  優先加熱口選択手段、ＨＬ  左加熱口、ＨＲ  右加熱口、ＨＣ  中央加熱口、１００  誘導加熱調理器。
【図１】
0005854897.tif 000002
【図２】
0005854897.tif 000003
【図３】
0005854897.tif 000004
【図４】
0005854897.tif 000005
【図５】
0005854897.tif 000006